(57)【特許請求の範囲】
【請求項１】
外周面にオプション部材を取付け可能とした椅子の脚柱であって、
外周面に、前記オプション部材を上下に選択的に係合可能な水平かつ円周方向を向く上下複数の円弧状の係合溝または係合突条を設け、かつ前記外周面における前記係合溝または係合突条の非形成部分に、上下方向を向く凹溝を設け、この凹溝の底面を、前記オプション部材の取付け高さを示すための表示部としたことを特徴とする椅子の脚柱。
【請求項２】
係合溝または係合突条の長さ方向の両端を、凹溝の両側縁において終端させてなる請求項１記載の椅子の脚柱。
【請求項３】
係合溝と凹溝との底面を同一面に連続させてなる請求項１または２記載の椅子の脚柱。
【請求項４】
請求項１〜３のいずれかに記載の椅子の脚柱へのオプション部材の取付構造であって、
上下方向の厚さを脚柱の外周面に設けた凹溝の上下寸法よりも小とした前記オプション部材の取付部に、上下方向と一側方とに開口する係合凹部を設け、この係合凹部を椅子の脚柱に嵌合し、かつ前記係合凹部内に配設した押圧部材と、それに対向する前記係合凹部の内面とにより前記脚柱を挟み、前記押圧部材と前記係合凹部との対向面の少なくともいずれか一方に設けた円弧状の係合突条または係合溝を、前記脚柱の上下複数の円弧状の係合溝または係合突条に選択的に係合し、前記オプション部材に設けた締付手段をもって、前記押圧部材を前記係合凹部の奥部に向かって締め付け、この押圧部材と前記係合凹部との互いに対向する押圧面を前記脚柱の外周面に圧接させることにより、オプション部材を脚柱に取付けるようにしたことを特徴とする椅子の脚柱へのオプション部材の取付構造。
【請求項５】
押圧部材と係合凹部との対向面のいずれか一方に、脚柱の凹溝の両側縁に係合する係合突部を設けてなる請求項４記載の椅子の脚柱へのオプション部材の取付構造。
【請求項６】
係合凹部または押圧部材に設けた係合突条の突出寸法を、脚柱の係合溝及び凹溝の深さよりも小としてなる請求項４または５記載の椅子の脚柱へのオプション部材の取付構造。
【請求項７】
押圧部材に設けた係合突条または係合溝を、少なくとも上下２個とし、それらを、脚柱における互いに隣接する上下２個の係合溝または係合突条に選択的に係合するようにし、かつ上下２個の係合溝または係合突条との間に、脚柱の外周面に圧接する押圧面を有する押圧突部を設けてなる請求項４〜６のいずれかに記載の椅子の脚柱へのオプション部材の取付構造。
【請求項８】
オプション部材を足載せ台としてなる請求項４〜７のいずれかに記載の椅子の脚柱へのオプション部材の取付構造。
【発明の詳細な説明】
【技術分野】
【０００１】
本発明は、例えば足載せ台等のオプション部材を高さ調節可能に取付けるための椅子の脚柱及び脚柱へのオプション部材の取付構造に関する。
【背景技術】
【０００２】
例えば家庭で学習用に使用する子供用の椅子の中には、着座した子供の足が床に届かない場合に備えて、座を支持する脚柱に足載せ台を取付けたものがあり、また、このような足載せ台を、子供の成長に合わせて高さを調節可能としたり、不要となった際には取り外したりしうるようにしたものが種々提案されている(例えば特許文献１〜３参照)。
【先行技術文献】
【特許文献】
【０００３】
【特許文献１】特開２００７−１８１６１４号公報
【特許文献２】実用新案登録第３０９７２９０号公報
【特許文献３】実用新案登録第３１４３０２１号公報
【発明の概要】
【発明が解決しようとする課題】
【０００４】
上記特許文献１〜３に記載されている椅子の脚柱は、いずれも、外周面が滑らかな円柱状をなしており、この脚柱に足載せ台を取付ける際には、足載せ台の中心部に形成された上下方向と後方に開口する係合凹部を嵌合し、係合凹部の開口端部に設けたねじ受け部材を、それに取付けた締付手段をもって締め付けることにより、係合凹部の内面を脚柱の外周面に圧接させて、脚柱に足載せ台を固定するようにし、また締付手段を緩めることにより、足載せ台の高さを調節しうるようになっている。
【０００５】
上記特許文献に記載されているような脚柱及び足載せ台の取付構造においては、足載せ台は、その係合凹部の内面と脚柱の外周面との摩擦力のみで、上下方向に移動するのが防止されているので、子供等が不用意に締付手段を緩めたり、椅子の使用中に締付手段が多少でも緩んだりすると、足載せ台が、それに載せた足の荷重や自重により下方に移動し、脚柱への取付位置がずれる恐れがある。
また、脚柱に対し、足載せ台を回転方向に位置決めしたり、回り止めするための手段を備えていないので、足載せ台を所定の向きに位置決めして脚柱に取付ける際の位置決め作業が面倒であり、かつ締付手段が多少でも緩むと、足載せ台が脚柱回りに回動して位置ずれする恐れがある。
【０００６】
また、子供等が足載せ台の高さを調節する際の目安とするために、例えば脚柱の外周面に、足載せ台の上下位置を確認しうる目盛りや、目盛り付きのシール等の表示部を設けることが望ましいが、このような目盛り等の表示部を、単に上記のような脚柱の外周面に直接設けると、足載せ台の高さ調節時に表示部が擦れて摩滅し、目盛りが見えにくくなる恐れがある。
【０００７】
本発明は、上記問題点に鑑みてなされたもので、締付手段に緩みが生じたとしても、オプション部材が上下方向に移動したり、回動したりするなど、脚柱に対し位置ずれするのを防止しうるようにするとともに、脚柱にオプション部材を安定よく取り付けうるようにし、さらに、オプション部材取付時の位置決めが容易で、かつ脚柱の外周面に設けた表示部が、オプション部材によって摩滅することのないようにした、椅子の脚柱及び脚柱への足載せ台の取付構造を提供することを目的としている。
【課題を解決するための手段】
【０００８】
本発明によると、上記課題は、次の各項のようにして解決される。
（１）外周面にオプション部材を取付け可能とした椅子の脚柱であって、外周面に、前記オプション部材を上下に選択的に係合可能な水平かつ円周方向を向く上下複数の円弧状の係合溝または係合突条を設け、かつ前記外周面における前記係合溝または係合突条の非形成部分に、上下方向を向く凹溝を設け、この凹溝の底面を、前記オプション部材の取付け高さを示すための表示部とする。
【０００９】
このような構成とすると、脚柱の外周面に、オプション部材を、高さ調節可能に、かつ上下方向の位置ずれを防止して取付けることができる。
また、外周面に設けた凹溝の底面を、オプション部材の取付け高さを示す表示部としているので、オプション部材の高さを調節する際に、オプション部材が表示部と接触することはなく、従って、表示部が摩滅して見えにくくなるのを防止することができる。
さらに、凹溝にオプション部材の一部を係合させることにより、凹溝を、オプション部材の回転方向の位置決めや、回り止め手段として使用することができる。
【００１０】
（２）上記(１)項において、係合溝または係合突条の長さ方向の両端を、凹溝の両側縁において終端させる。
【００１１】
このような構成とすると、幅広の凹溝を設けたとしても、この凹溝を挟んで、係合溝または係合突条にオプション部材を広範囲に係合させることができる。
【００１２】
（３）上記(１)または(２)項において、係合溝と凹溝との底面を同一面に連続させる。
【００１３】
このような構成とすると、係合溝と凹溝とが連続する部分に段差が生じないので、脚柱の成形や溝の加工が容易となるとともに、表示部も外部から視認し易くなる。
【００１４】
（４）上記(１)〜(３)項のいずれかに記載の椅子の脚柱へのオプション部材の取付構造であって、上下方向の厚さを脚柱の外周面に設けた凹溝の上下寸法よりも小とした前記オプション部材の取付部に、上下方向と一側方とに開口する係合凹部を設け、この係合凹部を椅子の脚柱に嵌合し、かつ前記係合凹部内に配設した押圧部材と、それに対向する前記係合凹部の内面とにより前記脚柱を挟み、前記押圧部材と前記係合凹部との対向面の少なくともいずれか一方に設けた円弧状の係合突条または係合溝を、前記脚柱の上下複数の円弧状の係合溝または係合突条に選択的に係合し、前記オプション部材に設けた締付手段をもって、前記押圧部材を前記係合凹部の奥部に向かって締め付け、この押圧部材と前記係合凹部との互いに対向する押圧面を前記脚柱の外周面に圧接させることにより、オプション部材を脚柱に取付けるようにする。
【００１５】
このような構成とすると、脚柱の外周面に設けた係合溝または係合突条に、押圧部材の内面と係合凹部の内面とのいずれか一方に設けた係合突条または係合溝を係合させた状態で、締付手段をもって脚柱の外周面にオプション部材を取付けることにより、締付手段に緩みが生じたとしても、オプション部材が上下方向に移動する恐れはない。
また、押圧部材と係合凹部との対向面の押圧面を、脚柱の外周面に圧接させているので、脚柱に、オプション部材を、安定よく強固に取付けることができる。
【００１６】
（５）上記(４)項において、押圧部材と前記係合凹部との対向面のいずれか一方に、脚柱の凹溝の両側縁に係合する係合突部を設ける。
【００１７】
このような構成とすると、簡単な構成で、脚柱に、オプション部材を、回転方向に位置決めして容易に取り付けることができ、かつ締付手段に緩みが生じても、オプション部材が脚柱回りに回動するのが防止される。
【００１８】
（６）上記(４)または(５)項において、係合凹部または押圧部材に設けた係合突条の突出寸法を、脚柱の係合溝及び凹溝の深さよりも小とする。
【００１９】
このような構成とすると、係合凹部または押圧部材に設けた係合突条の先端が、脚柱の係合溝及び凹溝の底面と当接して、薄肉となった脚柱の係合溝及び凹溝の底面を強く押圧することがないので、脚柱が変形するのが防止される。
【００２０】
（７）上記(４)〜(６)項のいずれかにおいて、押圧部材に設けた係合突条または係合溝を、少なくとも上下２個とし、それらを、脚柱における互いに隣接する上下２個の係合溝または係合突条に選択的に係合するようにし、かつ上下２個の係合溝または係合突条との間に、脚柱の外周面に圧接する押圧面を有する押圧突部を設ける。
【００２１】
このような構成とすると、脚柱の外周面に、オプション部材を上下方向の位置ずれを防止して、より安定よく取り付けうるとともに、互いに隣接する上下２個の係合溝または係合突条間において、脚柱の外周面に、押圧突部の押圧面が広範囲に圧接するので、互いの接触面積を大として、摩擦力を大きくすることができる。
【００２２】
（８）上記(４)〜(７)項のいずれかにおいて、オプション部材を足載せ台とする。
【００２３】
このような構成とすると、締付手段に緩みが生じても、足の荷重が加わる足載せ台が下方へ移動する恐れはなく、足載せ台を脚柱に安定よく取付けることができる。
【発明の効果】
【００２４】
本発明の脚柱によれば、脚柱の外周面に、オプション部材を、高さ調節可能に、かつ上下方向の位置ずれを防止して取付けることができる。
また、外周面に設けた凹溝の底面を、オプション部材の取付け高さを示す表示部としているので、オプション部材の高さを調節する際に、オプション部材が表示部と接触することはなく、従って、表示部が摩滅して見えにくくなるのを防止することができる。
さらに、凹溝にオプション部材の一部を係合させることにより、凹溝を、オプション部材の回転方向の位置決めや、回り止め手段として使用することができる。
【図面の簡単な説明】
【００２５】
【図１】本発明の第１の実施形態を備える椅子の前方斜視図である。
【図２】同じく、足載せ台取付け時の椅子の要部の拡大斜視図である。
【図３】同じく、足載せ台取付け前の椅子の要部の分解斜視図である。
【図４】押圧部材の前方拡大斜視図である。
【図５】足載せ台取付部の拡大中央縦断側面図である。
【図６】図５のVI-VI線に沿う横断面図である。
【図７】図５のVII-VII線に沿う横断面図である。
【図８】本発明の第２の実施形態における図６と同部位の横断面図である。
【発明を実施するための形態】
【００２６】
以下、本発明の実施形態を、図面に基づいて説明する。
図１は、本発明の第１の実施形態を備える椅子の斜視図で、この椅子は、先端部にキャスタ１を有する放射方向を向く５本の脚杆２よりなる脚体３と、その中央に立設された脚柱４と、脚柱４の上端部に水平回転可能に取付けた支基(図示略)により支持された座体５と、支基の後端部の両側部より起立する背杆６、６の上端部に、左右１対の下方を向く背枠７、７を介して取付けられた背凭れ８とを備えている。
【００２７】
図５に示すように、脚柱４は、上端に支基が取付けられた伸縮脚９と、下端部が脚体３の中央に固着され、内部に収容した伸縮脚９を伸長させるガススプリング１０と、ガススプリング１０を覆うようにして、脚体３の中央に下端部が固着された合成樹脂よりなる円筒形のカバー脚１１とからなっている。
【００２８】
図３及び図６に示すように、カバー脚１１における後部の外周面には、縦長長方形状の凹溝１２が、ほぼ全長に亘って形成されている。
また、カバー脚１１における凹溝１２を除いた外周面には、水平方向を向く円弧状の上下複数の係合溝１３が、凹溝１２と連なるように、すなわち係合溝１３の円周方向の両端が凹溝１２の両側縁において終端するように、かつ凹溝１２と各係合溝１３との底面とが、互いに同一面に連続するようにして、一定間隔おきに形成されている。
【００２９】
凹溝１２の底面は、後記する足載せ台１８の取付け高さを示すための表示部１４とされ、本実施形態では、この表示部１４に、足載せ台１８の高さを段階的に調節する際の目安とする目盛り１５を付した目盛りシール１６を貼着してある。目盛り１５は、各係合溝１３と等高をなす位置に付してある。なお、このような目盛りシール１６の代わりに、例えばカバー脚１１の成形時において、凹溝１２の底面に目盛りを直接設けてもよい。
【００３０】
図６に示すように、カバー脚１１の前面には、上下方向を向くスリット１７が、上端部付近から下端まで形成され、カバー脚１１は、このスリット１４の溝幅分だけ縮径方向に弾性変形しうるようになっている。
【００３１】
カバー脚１１には、オプション部材としての足載せ台１８が、次のようにして取付けられている。
図２〜図７に示すように、足載せ台１８は、その中心部に形成され、かつ上下方向の厚さを上記カバー脚１１に設けた凹溝１２の上下寸法より小とした、カバー脚１１に固定可能な取付部１９と、その外周面より、椅子の前方(図５の左方)と両側方に向かって放射状に延出する３本の連結杆２０と、各連結杆２０の先端に接続された、取付部１９を中心とする平面視ほぼＣ字形の足載せ部２１と、取付部１９をカバー脚１１の外周面に締め付ける締付手段２２とを備えている。
【００３２】
取付部１９は、互いにほぼ平行をなして後方を向く左右１対の挟持片１９ａ、１９ａを有し、内側には、後方と上下両方向に開口する平面視後向きＵ字状の係合凹部２３が形成され、この係合凹部２３の前部側の半円状の内周面は、カバー脚１１の前半部の外周面と面接触しうるようになっている。
係合凹部２３における前下部の内面には、カバー脚１１の前側の上下複数の係合溝１３に前方より選択的に係合可能な水平かつ円弧状をなす係合突条２４が突設されている。なお、この係合突条２４の突出寸法は、係合溝１３の深さよりも若干小とされ、係合突条２４を係合溝１３に係合させた際に、係合突条２４の先端が係合溝１３の底面に当接しないようにしてある。
【００３３】
係合凹部２３の開口端部、すなわち取付部１９における両挟持片１９ａの後端部の対向面には、内向突部２５、２５が対向状に突設され、両内向突部２５における脚柱４と対向する前面には、上下方向を向く係止突部２６、２６が、前向きに突設されている。なお、両内向突部２６、２６の対向面間の寸法は、脚柱４の伸縮脚９の外径よりも若干大とされ、取付部１９を、伸縮脚９に、それと直交するいずれの方向からでも嵌合しうるようにしてある。
【００３４】
取付部１９の係合凹部２３には、前面が開口された縦断及び横断面形がコ字状をなす合成樹脂製の箱状の押圧部材２７が、カバー脚１１の後面と対向するようにして収容されている。
【００３５】
締付手段２２は、係合凹部２３の後方の開口端部内に、その部分を塞ぐようにして嵌合された合成樹脂製のねじ受け部材２８と、その内部の後述するナット３５に螺合される締付ねじ２９とからなり、押圧部材２７の後部は、ねじ受け部材２８の前面に設けた凹部２８ｂに相対移動可能に嵌合されている。なお、押圧部材２７とねじ受け部材２８の上下寸法は、それらを係合凹部２３に嵌合した際に、取付部１９の上下両面から突出しないように、その上下寸法よりも若干小としてある。
【００３６】
図４の拡大斜視図に示すように、押圧部材２７におけるカバー脚１１の後面との対向部には、左右１対の押圧突部３０、３０が前向きに突設され、両押圧突部３０の前面は、カバー脚１１の後面における凹溝１２を挟む外周面に面接触可能な円弧状押圧面３０ａとされている。なお、左右の押圧突部３０を、後記するＥ型リング４０の挿入に必要な空間を残して連続するものとし、左右に連続する押圧突部３０の全面を、円弧状押圧面３０ａとすることもできる。
【００３７】
押圧部材２７の上縁と下縁には、上下１対の前向片３１、３１が、左右の押圧突部３０を上下から挟むようにしてこれと一体的に形成され、両前向片３１における押圧突部３０の円弧状押圧面３０ａより若干前方に突出する前端部は、カバー脚１１の後面の上下に隣接する２個の係合溝１３に後方より選択的に係合可能な、水平かつ円弧状の係合突条３１ａ、３１ａとされている。この両係合突条３１ａの円弧状押圧面３０ａからの突出寸法は、係合溝１３の深さよりも若干小としてあり、押圧突部３０の円弧状押圧面３０ａをカバー脚１１の外周面に当接させた際に、係合突条３１ａの先端が、凹溝１２と係合溝１３の底面に当接しないようになっている。
また、下部の係合突条３１ａと、係合凹部２３の前下部の内周面に突設した係合突条２４とは、同一高さに整合するようになっている。
【００３８】
締付ねじ２９は、回動操作用の合成樹脂製の操作ノブ３２と、インサート成形により後部が操作ノブ３２の中心部に固定された前方を向くボルト３３とからなり、ボルト３３は、ねじ受け部材２８の中央部に穿設された前後方向を向く通孔３４に後方より挿入され、ねじ受け部材２８の内部にインサート成形により固定されたナット３５に螺合されるようになっている。なお、ナット３５の代わりに、ねじ受け部材２８に、ボルト３３が螺合されるめねじ孔を穿設してもよい。
ボルト３３の先端は、小径軸３３ａとなっている。
【００３９】
押圧部材２７の両側部後面に形成された後方に開口する上下方向の長孔３６、３６には、平面視コ字状の押圧金具３７における左右両側の前向片３７ａ、３７ａが後方より嵌合され、押圧金具３７の前面は、押圧部材２７の後面に当接するようになっている。なお、このような押圧金具３７は省略することもある。
【００４０】
押圧部材２７の後面と押圧金具３７との中央部に形成された通孔３８、３８には、上記ボルト３３の小径軸３３ａが後方より回動可能に嵌合され、嵌合後において、小径軸３３ａの先端部の環状溝３９にＥ型リング４０を止着することにより、締付ねじ２９は、後方に抜け止めされるようになっている。
【００４１】
ねじ受け部材２８の両側面の中間部に突設された外向突部２８ａ、２８ａには、上記係止突部２６と反対方向である後方に開口する係合孔４１、４１が形成され、両係合孔４１を、取付部１９の後端部の前方を向く係止突部２６、２６に嵌合することにより、ねじ受け部材２８は、取付部１９の係合凹部２３内において、上下方向への移動と、脱落するのが阻止されている(図６参照)。
また、左右の外向突部２８ａ、２８ａの後面が、左右の内向突部２５、２５の前面に当接することにより、ねじ受け部材２８は、係合凹部２３の開口端部に、後方に抜け止めされて嵌合されている。
【００４２】
足載せ台１８を脚柱４に取付けるには、まず伸縮脚９に、取付部１９の係合凹部２３を、椅子の前方より嵌合する。
【００４３】
ついで、この状態において、伸縮脚９の後方に形成される係合凹部２３に、予め組み付けられた、押圧部材２７、押圧金具３７、ねじ受け部材２８、及び締付ねじ２９を、カバー脚１１の後面と対向するように嵌合する。この際に、係合凹部２３の開口端部の左右の係止突部２６、２６に、ねじ受け部材２８の両側部の係合孔４１、４１を嵌合することにより、押圧部材２７、ねじ受け部材２８及び締付ねじ２９全体が、係合凹部２３より脱落するのが防止され、係合凹部２３内に仮保持される。
【００４４】
ついで、締付ねじ２９を緩めて、押圧部材２７を後限付近まで後方に移動させてから、足載せ台１８を下降させ、取付部１９における係合凹部２３の奥面と押圧部材２７の前面とにより、カバー脚１１の外周面を前後より挟持する。
【００４５】
ついで、係合凹部２３の内面の係合突条２４と、押圧部材２７の前端部の上下の係合突条３１ａ、３１ａとを、それぞれ、カバー脚１１の外周面の上下複数の係合溝１３のいずれかに、前方及び後方より選択的に係合させる。なお、押圧部材２７の上下１対の係合突条３１ａは、凹溝１２を横切るようにして、上下に隣接する係合溝１３に係合される。
【００４６】
この状態で、締付ねじ２９を締め込むと、図５〜図７に示すように、ボルト３３の先端面により、押圧金具３７及び押圧部材２７が前方に押動されることにより、係合凹部２３の前部側の円弧状をなす押圧面がカバー脚１１の前面側の外周面に、押圧部材２７における左右の押圧突部３０、３０の円弧状押圧面３０ａ、３０ａが、カバー脚１１の後面側の外周面に、それぞれ強く面接触し、足載せ台１８は、カバー脚１１の任意の高さに強固に固定される。
この際、係合突条２４、３１ａの突出寸法は、係合溝１３の深さよりも若干小とされているので、係合突条２４、３１ａの先端が係合溝１３の底面に圧接することはなく、それらの対向面に若干の隙間が形成されるようになる(図５、図７参照)。従って、係合溝１３と係合突条２４、３１ａは、足載せ台１８の高さを段階的に調節するための上下方向の位置決め手段と落ち止め手段としての機能を有している。
【００４７】
カバー脚１１の外周面には、上下方向を向くスリット１７が設けられ、締付ねじ２９の締付時の押圧荷重がスリット１７により逃がされるので、カバー脚１１の締付部が局部的に楕円形等に変形するのが防止される。
【００４８】
足載せ台１８の高さを調節する際は、締付ねじ２９を緩めて、前後の係合突条２４、３１ａを係合溝１３より離脱させ、それらを、別の任意の係合溝１３に嵌合させて、再度締付ねじ２９を締め込めばよく、これにより、足載せ台１８の高さを段階的に調節することができる。
【００４９】
以上説明したように、上記実施形態においては、脚柱４の一部をなすカバー脚１１の外周面に、円周方向を向く係合溝１３を、上下複数設け、それらの任意の係合溝１３に、足載せ台１８の係合凹部２３の内面に突設した円弧状の係合突条２４と、押圧部材２７の前端部に設けた上下１対の円弧状の係合突条３１ａ、３１ａとを係合させて、カバー脚１１に足載せ台１８を固定しているので、締付ねじ２９に多少の緩みが生じたとしても、足載せ台１８が上下方向に位置ずれする恐れはない。特に、足載せ台１８に載せた足の荷重や自重により下方に移動するのが確実に防止される。
【００５０】
また、足載せ台１８は、その係合凹部２３の前部側の内面をカバー脚１１の前面側の外周面に面接触させるとともに、押圧部材２７における左右の押圧突部３０、３０の円弧状押圧面３０ａ、３０ａを、カバー脚１１の後面側の外周面に面接触させて、カバー脚１１を前後から挟圧しているので、カバー脚１１に対する足載せ台１８と押圧部材２７との接触面積が比較的大きく、従って、足載せ台１８をカバー脚１１に強固に固定することができる。
しかも、この際に、係合凹部２３の内面に突設した係合突条２４と、押圧部材２７の上下の係合突条３１ａ、３１ａとの先端は、係合溝１３の底面に圧接せず、それらの間に隙間が形成されるようにしてあるので、カバー脚１１における薄肉となった凹溝１２や係合溝１３の底面が、係合突条２４、３１ａの先端により強圧されることはなく、カバー脚１１における係合溝１３の形成部が変形するのが防止される。
【００５１】
さらに、カバー脚１１の外周面における係合溝１３の非形成部分に、上下方向を向く凹溝１２を設け、この凹溝１２の底面を表示部１４として、この表示部１４に、足載せ台１８を段階的に調節する際の目安とする目盛りシール１６を貼着してあるので、足載せ台１８の高さを調節する際に、押圧部材２７におけるカバー脚１１との対向面等が、目盛りシール１６の表面に摺接することがなく、従って、足載せ台１８の高さを繰り返し何度調節しても、目盛りシール１６に付した目盛り１５が擦れて摩滅し、それが見えにくくなるという問題の生じる恐れはない。なお、表示部１４に直接目盛りを設けた際にも同じ効果が得られる。
【００５２】
図８は、本発明の第２の実施形態の横断平面図で、この第２の実施形態においては、押圧部材２７におけるカバー脚１１の凹溝１２と対向する前面に、１個または上下複数の係合突部４２を前向きに突設し、この係合突部４２の先端部を、凹溝１２に後方より着脱可能、かつ上下方向に摺動可能に係合させるようにしたものである。この際、係合突部４２の先端部の両側縁が、凹溝１３の両側縁に係合するようにし、係合突部４２の先端が凹溝１２の底面と当接しないようにするのが好ましい。
【００５３】
このように、係合突部４２の先端部を、凹溝１２の両側縁に係合させると、カバー脚１１に足載せ台１８を取付ける際に、これを位置決めしうるとともに、締付ねじ２９が緩んだとしても、足載せ台１８がカバー脚１１回りに回動するのを防止することができる。すなわち、押圧部材２７に係合突部４２を設けることにより、凹溝１２を、上記第１の実施形態の表示部１４に代えて、足載せ台１８の回転方向の位置決めや、回り止め手段として使用することができる。なお、凹溝１２を位置決めや回り止め手段として使用した際でも、その底面に目盛りシール１６を貼着して表示部１４とすることができる。この際にも、足載せ台１８の高さを調節する際に、係合突部４２の先端が表示部１４と接触して、表示部１４が摩滅するのを防止することができる。
【００５４】
本発明は、上記実施形態に限定されるものではない。
上記実施形態では、凹溝１２を、カバー脚１１の後面に設けているが、カバー脚１１の外周面の任意の箇所に設けることができる。例えば、凹溝１２をカバー脚１１の前面に設けた際には、それと対向する係合凹部２３の内面に上記のような係合突部４２を設け、この係合突部４２を凹溝１２に係合することにより、足載せ台１８を回り止めすることができる。
【００５５】
また、上記実施形態では、係合溝１３を、凹溝１２と連通する欠円形をなすものとしたが、少なくとも係合突条２４、３１ａが係合可能な不連続の円弧状とすることもある。
【００５６】
さらに、上記実施形態では、足載せ台１８の係合凹部２３の内面と押圧部材２７とに係合突条２４、３１ａを設け、それらを係合溝１３に係合させているが、係合突条２４、３１ａのいずれか一方を省略することもある。
【００５７】
上記実施形態とは反対に、カバー脚１１の係合溝１３を係合突条とし、これに、係合凹部２３の内面及び押圧部材２７の押圧突部３０の前面に設けた係合突条を係合させるようにすることもできる。
【００５８】
足載せ台１８の係合凹部２３の内面に設けた係合突条２４を、上下２個またはそれ以上、押圧部材２７の先端に設けた係合突条３１ａを、２個以上とすることもある。
【００５９】
上記実施形態では、脚柱であるカバー脚１１を、円筒形をなすものとしたが、楕円や角形断面等の非円形をなす脚柱にも本発明を適用することができる。
また、上記実施形態では、オプション部材を足載せ台１８とした例を説明したが、他のオプション部材、例えば小物の物品を載置したり、収容したりする物品載置台やトレー等のオプション部材を取付ける際にも、本発明を適用することができる。
【符号の説明】
【００６０】
１  キャスタ
２  脚杆
３  脚体
４  脚柱
５  座体
６  背杆
７  背枠
８  背凭れ
９  伸縮脚
１０  ガススプリング
１１  カバー脚
１２  凹溝
１３  係合溝
１４  表示部
１５  目盛り
１６  目盛りシール
１７  スリット
１８  足載せ台(オプション部材)
１９  取付部
１９ａ挟持片
２０  連結杆
２１  足載せ部
２２  締付手段
２３  係合凹部
２４  係合突条
２５  内向突部
２６  係止突部
２７  押圧部材
２８  ねじ受け部材
２８ａ外向突部
２８ｂ凹部
２９  締付ねじ
３０  押圧突部
３０ａ円弧状押圧面
３１  前向片
３１ａ係合突条
３２  操作ノブ
３３  ボルト
３３ａ小径軸
３４  通孔
３５  ナット
３６  長孔
３７  押圧金具
３７ａ前向片
３８  通孔
３９  環状溝
４０  Ｅ型リング
４１  係合孔
４２  係合突部
【図１】
0005722718.tif 000002
【図２】
0005722718.tif 000003
【図３】
0005722718.tif 000004
【図４】
0005722718.tif 000005
【図５】
0005722718.tif 000006
【図６】
0005722718.tif 000007
【図７】
0005722718.tif 000008
【図８】
0005722718.tif 000009